(57)【要約】      （修正有）【課題】衛生的に寝たきりの病人の臀部の汚れを清潔にすることのできる臀部洗浄用装置及び用具を提供する。【解決手段】ベット上の寝たきり病人の腰下に引き揚げ用のベルトを差し入れ、そのベルトの両端を巻き揚げるための巻き揚げ装置を作り、その下端部に車輪を設け、ベットの側面より押入れ方式にする。また、病人の臀部水浄用として防水性素材にて大形サイズのパンツを作り胴部、大腿部を漏水しないよう締め方式にする、このパンツの上部に洗浄水入れ口、下部に排水管を設け、排水管の下先端を汚水受容器に差し入れる構成とする。【選択図】図４
0003143560.tif 000002
【実用新案登録請求の範囲】
【請求項１】
病人の臀部洗浄用装置において、病人の腰部下に差し入れられたベルトの両端に接続したるロープの引き揚げ装置の両端に支柱を設けることにより門形状を形成せしめ、該支柱の下端に車輪を設けて成ることを特徴とする病人の臀部洗浄用装置及び用具。
【請求項２】
病人の臀部洗浄用装置において、病人の腰部下に差し入れられたベルトの両端に接続はたるロープの引き揚げ装置の一端に支柱を設け、該支柱の下端をＬ字形に成し下面に車輪を設けて成ることを特徴とする病人の臀部洗浄用装置及び用具
【請求項３】
請求項１，及び請求項２，記載の病人の臀部洗浄用装置及び用具において、洗浄汚水受け用具として、防水性素材の前掛け状の汚水受け用具の上端に取り付け紐を設け、中部より下方を袋状に成したることを特徴とした病人の臀部洗浄用装置及び用具。
【請求項４】
請求項１、及び請求項２，記載の病人の臀部洗浄用装置及び用具において、病人に着用させる洗浄用パンツの上部に水入れ口、下部にバルブを装着した排水管を設け、該排水管の下端を汚水受容器に挿入して成ることを特徴とする病人の臀部洗浄用装置及び用具。
【考案の詳細な説明】
【技術分野】
【０００１】  本考案は病人の介護用装置と、その用具であって、特に起居のできない寝たきり病人の臀部を洗い清浄にするための装置と、その用具に関するものである。
【背景技術】
【０００２】  起居不能の病人、いわゆる寝たきり病人は現今社会において多数であるが、介護を補助、便利にするための、装置、器具類は全く存在せず、古い時代より、技術文明の今日に至るも、全て介護人の人力にて成されて居り、医療技術は大きく進歩しているが介護面は全く進歩して居ない。【０００３】
【特許文献】  本考案に該当する文献は見受けられない。
【考案の開示】
【考案が解決しようとする課題】
【０００４】  病人自身にて起居のできない、いわゆる寝たきりの病人は多数である、この病人は介護面に対しての不平、不満を心に持って居ても訴えない、訴える事のできない立場に居ると言える。
特に意識を失った病人は気の毒であるが、寝たきりの病人を介護する人達の労苦も大変なものである、しかし寝たきりの病人の臀部を完全に清潔にするための補助具、装置は全く無く、濡れタオルにて拭く程度にて済ませて居る、意識の無い病人は完全を望むことは無いとしても、人道的な見地にて、病人を清潔にすることは、介護人の責務である。
実際上において、この問題解決は困難であるが、何も対策しない事は怠けである、介護者としての任務を全うし得る補助器具、装置を提供すねことが何より必要である。
【課題を解決するための手段】
【０００５】  寝たきりに成った病人は長い年月の人が多く、そのため介護人の苦労も多大である、介護人の負担をなるべく増加させず、しかも病人を清潔にするのが本考案の目的である。
寝たきり病人の一番の問題点は病人の臀部の清潔である、従来は病人を横向きにさせて、濡れタオルにて臀部を払拭して居た、ベット上にては、この程度の事しかできない、これでは病人の臀部に付着した糞尿を完全に払拭する事はできない、そこで腰部の下にベルトを差入れ、このベルトを引き上げる装置にて病人の腰部をベットより引き上げる。
病人の臀部をベットよりある程度離せば、病人の臀部を常温水、又は加温水にて洗浄することができる、この場合の洗い水がベット上に流れ落ちないようにするため、水受け用具を病人の身体に取り付ける、或いは身体下に水受け装置を置きベットの下に汚水入れ容器を置きホースにて上の汚水を下の容器に流し入れる。
ベルト巻き上げ装置の機構は、多種多様あり、どのような機構を利用しても良い事は勿論である、使い易い構造であること、簡単で故障しない事が大切である。
本考案は寝たきり病人の身体を完全に清潔にできると同時に、介護人にとっても、病人の糞尿に触れる非衛生が従来に比し著しく減少されるため、介護を近代化せしめる。
【考案の効果】
【０００６】  本考案は次に記載する効果を奏する、従来は病人の臀部を濡れタオルにて払拭して居たが完全に糞尿を払拭することができなかった、本考案は水洗浄するために臀部を完全に清潔にでき病人に対し精神面にても満足を与える効果も発生させる。
【考案を実施するための最良の形態】
【０００７】  ベット上の寝たきり病人の腰下に引き揚げ用のベルトを差し入れ、そのベルトの両端を巻き揚げるための巻き揚げ装置を作り、その下端部に車輪を設け、ベットの側面より押入れ方式にする。
病人の臀部水浄用として防水性素材にて大形サイズのパンツを作り胴部、大腿部を漏水しないよう締め方式にする、このパンツの上部に洗浄水入れ口、下部に排水管を設け、排水管の下先端を汚水受容器に差し入れる構成。
【実施例】
【０００８】  本考案は重い病気にて寝たきりになった病人の不潔になった臀部を温水等によって洗浄するための装置、及びそれに使用する用具の考案である。
以下本考案を図面に基づき詳細に説明する、本考案は病人の臀部を洗浄するものなるため病人の臀部をベット上面より引き揚げる必要がある、［図１］は本考案の病人の臀部洗浄用装置及び用具の一例であって、ベット１の後方より差し入れる方式の巻き揚げ装置２Ａを差し入れた場合の正面図であって、下端に装着された車輪３にて運行させる。
実施に際して、先ず本巻き揚げ装置２Ａを病人の腰部位置に設置し、病人の腰下にベルト７を差し入れる。
巻き揚げ装置２Ａはハンドル６を手動にて回動すれば歯車を介して巻き揚げ軸５を回転させる、巻き揚げ軸５には二本の巻き揚げロープ４が取り付けられており、この巻き揚げロープ４の２本の下端をベルト７の両端夫々に連結し、ハンドル６を回動することにより病人の腰部は引き揚げられる。【０００９】  ［図２］は本考案の病人の臀部洗浄用装置及び用具において、ベット１の横側より差し入れる方式の巻き揚げ装置２Ｂの正面図である。
この巻き揚げ装置２Ｂは、［図１］記載の巻き揚げ装置２Ａと目的、構成は殆ど同じであるが、支柱１５が片側のみであるためベット１の横側より差し入れが可能である、このため実際上において差し入れが容易であり使い易く便利である。
病人の腰部下に差し入れられたるベルト７を引き揚げる機構は、本記載例に限定されるものでなく、どのような構成にて引き揚げてもよいことは、勿論である。【００１０】  病人の腰部がベット１の上面より引き揚げられると、病人の臀部を夏期ならば常温水にてて、他の季節では温水にて洗浄する、この場合に洗浄水がベット１を汚損させない用具がが必要となる、［図３］は本考案の病人の臀部洗浄用装置及び用具において、病人の臀部を洗浄する一例の側面図であって、洗浄汚水を受け入れるための汚水受袋１６が臀部１７の下に取り付け紐１８により縛り付けられる、この汚水受袋１６は前掛け状を成しており、中位部より下は、汚水を受け入れるための袋状になって居りビニールのような防水性素材にて作られる。【００１１】  ［図４］は本考案の病人の臀部洗浄用装置及び用具における洗浄用具の他例の側面図にして、腰部をベルト７にて巻き揚げて臀部１７を洗浄する場合に、汚水をベット上に流さないようにする事は困難である、そこで病人にビニールのような防水性の素材にて作られた大形サイズのパンツ１９を用い胴部、と大腿部を締め臀部１７を密閉状態にする。
パンツ１９の上部に洗浄水を入れるための入れ口２０を設け下部には排水管２１を設ける、排水管２１にはバルブ２３を設け排水通路を開閉する。
パンツ１９を着用させた病人の臀部１７を洗浄する場合は、入れ口２０の蓋を取り洗浄水をパンツ１９内に適宜量入れ蓋をする、そしてパンツ１９を外部より押しパンツ１９内の洗浄水を撹拌する、この撹拌を必要数実施して入れ口２０の蓋を取り、バルブ２３を開き汚水を排出する
排水管２１の下端は汚水受容器２２に差し入れられる、この洗浄は臀部１７の汚れ状態にて、差異があり、一度で清潔にならない場合は再度行う、洗浄水の温度は実施時の気温に応じた温度にてされる事は勿論である。
パンツ１９を利用する方法は、従来の濡れタオルにて払拭する方法に比べ手数を要するが介護人にとって作業が衛生的になり近代化され、病人に与える精神的満足感は大きい。
本考案は、このような実施例に何等限定されるものでなく、本考案の要旨を逸脱しない範囲において種々なる態様にて実施し得る事は勿論である。
【産業上利用の可能性】
【００１２】  本考案は寝たきり病人の臀部を完全に清潔にでき、介護人にとっても作業が衛生化され介護の近代化になるものである、そのため普及が期待されるものである。
【図面の簡単な説明】
【００１３】
【図１】は本考案の病人の臀部洗浄用装置及び用具においてベット１の後方向より差し入れる方式の正面図である。
【図２】は本考案の病人の臀部洗浄用装置及び用具においてベット１の側面方向より差し入れる方式の正面図である。
【図３】は本考案の病人の臀部洗浄用装置及び用具において汚水受袋１６を使用した場合の説明図である。
【図４】は本考案の病人の臀部洗浄用装置及び用具においてパンツ１９を使用した場合の説明図である。
【符号の説明】
【００１４】１  ベット
２Ａ  巻き揚げ装置＠
２Ｂ  巻き揚げ装置
３  車輪
４  巻き揚げロープ
５  巻き揚げ軸
６  ハンドル
７  ベルト
１５  支柱
１６  汚水受袋
１７  臀郎
１８  取り付け紐
１９  パンツ
２０  入れ口
２１  排水管
２２  汚水受容器
２３  バルブ
【図１】
0003143560.tif 000003
【図２】
0003143560.tif 000004
【図３】
0003143560.tif 000005
【図４】
0003143560.tif 000006
【手続補正書】
【提出日】平成20年4月27日(2008.4.27)
【手続補正１】
【補正対象書類名】実用新案登録請求の範囲
【補正対象項目名】全文
【補正方法】変更
【補正の内容】
【実用新案登録請求の範囲】
【請求項１】
病人の腰部下に差し入れられたベルトの両端に接続したるロープの巻き揚げ軸の両端に支柱を設けることにより門形状を形成せしめ、該支柱の下端に車輪を設けて成ることを特徴とした病人の臀部洗浄装置及び用具。